(57)【要約】      （修正有）【課題】  砂や汚泥等の異物が雨水と共に雨水流出抑制部の貯留空間に流入することを長期間にわたって阻止できると共に、貯留空間に異物が流入したときは、これを容易に除去することが可能な雨水流出抑制システムを提供する。【解決手段】  雨水流出抑制部１と、この雨水流出抑制部１の雨水流入口４の手前で、かつ雨水流出抑制部１の上部に設けられた雨水流入部２と、雨水流出抑制部１の上部に設けられた取水部３とを有しており、取水部３は、雨水流出抑制部の内部を点検する点検部を兼ねている。雨水流出抑制部１は、雨水を貯える貯留部５内に多数の充填部材６を縦横かつ上下に連接して貯留空間を形成し、充填部材６の外側面部を覆うように側板部材７を設け、さらに、周囲を遮水シート８および不織布９の順で覆うことにより構成されている。【選択図】  図１
2006219910.tif 000002
【特許請求の範囲】
【請求項１】
雨水等を一時貯える貯留部内に充填部材を縦横かつ上下に連接して貯留空間を形成した雨水流出抑制部と、該雨水流出抑制部の雨水流入口またはその手前に設けられ、雨水に含まれる砂や汚泥等の異物を除去するフィルタを備えた雨水流入部とを有し、
前記フィルタを通過した雨水が前記雨水流出抑制部に流入されると共に、前記フィルタを通過した雨水と共に前記雨水流出抑制部に流入した砂や汚泥等の異物は、前記雨水流出抑制部に貯留した雨水を取り出す取水部の下部に誘導されるように構成されていることを特徴とする雨水流出抑制システム。
【請求項２】
前記フィルタは、ウェッジワイヤを巻回して、雨水の流れ方向に対して略直角方向に所定寸法の目開きを有して筒状に構成されていることを特徴とする請求項１に記載の雨水流出抑制システム。
【請求項３】
前記雨水流入部は、前記雨水流出抑制部の上部に設けられ、かつ、前記雨水流入部と前記雨水流出抑制とは分割可能に構成されていることを特徴とする請求項１または請求項２に記載の雨水流出抑制システム。
【請求項４】
前記雨水流入部は、雨水排水管路の途中位置に設置されていることを特徴とする請求項３に記載の雨水流出抑制システム。
【請求項５】
前記雨水流出抑制部の上部には、前記取水部が設けられ、かつ前記取水部と前記雨水流出抑制部とは分割可能に構成されていることを特徴とする請求項１乃至請求項４のうちいずれか１項に記載の雨水流出抑制システム。
【発明の詳細な説明】
【技術分野】
【０００１】
この発明は、降雨時に、雨水を一時貯留して、浸透または排水させることにより、河川や水道施設への負荷を低減させる雨水流出抑制システムに関し、主に、一般家庭用に適した比較的小型の雨水流出抑制システムに関するものである。
【背景技術】
【０００２】
従来、図１２および図１３に示すように、雨水等を一時貯える貯留部５に充填部材６を縦横かつ上下に連接して貯留空間を形成してなる雨水流出抑制部１を備えた雨水流出抑制システムが知られている（例えば、特許文献１等参照）。
【０００３】
まず、構成から説明すると、この従来の雨水流出抑制システムにおける雨水流出抑制部１は、底板３０の上に充填部材６を縦横かつ上下に連接して組み立て、この充填部材６の上面および四周側面に板体７を取り付け、充填部材６の上面を透水性上面シート３１で覆うと共に充填部材の四周側面を被覆シート３２で覆い、被覆シート３２の下端縁を固定手段３３でもって底板３０に固定して構成されている。
【０００４】
前記充填部材６は、図１３に示すように、平板状の上面部３４の下方に複数本の脚部３５を一体に設けて、上下に隣接配置される他の充填部材６の上面部３４との間に、雨水の貯留空間を形成している。
【０００５】
そして、この従来の雨水流出抑制システムでは、雨水流出抑制部１に、貯留空間の一側面の上部から板体７と被覆シート３２を貫通して外方へ突き出す流入口３４が設けられると共に、貯留空間の他の側面の下部から板体と被覆シートを貫通して外方へ突き出す取水口３５が設けられている。
【０００６】
前記流入口３４は、沈砂マス３６に連通し、沈砂マス３６は雨水導入管３７に連通しており、また、取水口３５は、取水マス３８に連通している。
【０００７】
取水マス３８の底には取水ポンプ３９が設置され、この取水ポンプ３９に接続された取水管４０は地上に引き出されると共に、取水マス３８の上部にオーバーフロー管４１が接続されている。
【０００８】
また、雨水流出抑制部１には、充填部材６の上面から板体７と透水性上面シート３１を貫通して上方へ突き出す点検口４２が設けられている。
【０００９】
つぎに、この従来の雨水流出抑制システムの作用について説明する。
【００１０】
このように構成された従来の雨水流出抑制システムでは、降雨により、雨水が、沈砂マス３６を経て雨水流出抑制部１の貯留空間に進入して一時貯留され、河川や下水道施設等が豪雨によって急激に増水することが抑制される。
【００１１】
また、雨水は、沈砂マス３６に流れ込んで砂や汚泥等の異物が除去されてから、雨水流出抑制部１に流入して貯えられる。
【特許文献１】特開２００４−２１１３１６号公報（図１乃至図８、００２１段落乃至００４０段落）
【発明の開示】
【発明が解決しようとする課題】
【００１２】
しかしながら、このような従来の雨水流出抑制システムでは、雨水に含まれる砂や汚泥等の異物を沈砂マス３６に沈降させてから、雨水を雨水流出抑制部１の貯留空間に流入させるものであるため、長期間使用しているうちに沈砂マス３６を通過した砂や汚泥等の異物が貯留空間の底面に沈降して堆積し、しかも、雨水流出抑制部１の内部は充填部材６が縦横かつ上下に連接して組み立てられており、堆積した砂や汚泥等の異物を除去することは困難であるという問題がある。
【００１３】
そこで、本発明は、砂や汚泥等の異物が雨水と共に雨水流出抑制部の貯留空間に流入することを長期間にわたって阻止できると共に、貯留空間に異物が流入したときは、これを容易に除去することが可能な雨水流出抑制システムを提供することを目的としている。
【００１４】
また、本発明は、施工性を向上でき、また、システム構成をコンパクト化することができる雨水流出抑制システムを提供することを目的としている。
【課題を解決するための手段】
【００１５】
前記目的を達成するために、請求項１の発明は、雨水等を一時貯える貯留部内に充填部材を縦横かつ上下に連接して貯留空間を形成した雨水流出抑制部と、該雨水流出抑制部の雨水流入口またはその手前に設けられ、雨水に含まれる砂や汚泥等の異物を除去するフィルタを備えた雨水流入部とを有し、
前記フィルタを通過した雨水が前記雨水流出抑制部に流入されると共に、前記フィルタを通過した雨水と共に前記雨水流出抑制部に流入した砂や汚泥等の異物は、前記雨水流出抑制部に貯留した雨水を取り出す取水部の下部に誘導されるように構成される雨水流出抑制システムを特徴としている。
【００１６】
また、請求項２に記載されたものは、前記フィルタは、ウェッジワイヤを巻回して、雨水の流れ方向に対して略直角方向に所定寸法の目開きを有して筒状に構成されている請求項１に記載の雨水流出抑制システムを特徴としている。
【００１７】
さらに、請求項３に記載されたものは、前記雨水流入部は、前記雨水流出抑制部の上部に設けられ、かつ、前記雨水流入部と前記雨水流出抑制とは分割可能に構成されている請求項１または請求項２に記載の雨水流出抑制システムを特徴としている。
【００１８】
さらに、請求項４に記載されたものは、前記雨水流入部は、雨水排水管路の途中位置に設置されている請求項３に記載の雨水流出抑制システムを特徴としている。
【００１９】
さらに、請求項５に記載されたものは、前記雨水流出抑制部の上部には、前記雨水流出抑制部に貯留した雨水を取り出す取水部が設けられ、かつ前記取水部と前記雨水流出抑制部とは分割可能に構成されている請求項１乃至請求項４のうちいずれか１項に記載の雨水流出抑制システムを特徴としている。
【発明の効果】
【００２０】
このように構成された請求項１のものは、雨水流出抑制部の雨水流入口またはその手前にフィルタを設け、フィルタを通過した雨水が雨水流出抑制部に流入されるようにしている。
【００２１】
これによって、砂や汚泥等の異物が雨水に含まれて雨水流出抑制部に流入することを長期間にわたって阻止できるようになる。
【００２２】
しかも、請求項１のものは、フィルタの目開きを通過して雨水流出抑制部に流入した微
量の砂や汚泥等の異物は、雨水流出抑制部に貯留した雨水を取り出す取水部の下部に誘導されるようになっている。
【００２３】
これによって、雨水流出抑制部に流入した異物は雨水流出抑制部の取水部下部に堆積し、取水口からバキューム等で容易に吸い出すことができるようになる。
【００２４】
また、請求項２に記載されたものは、フィルタを、ウェッジワイヤを巻回して、雨水の流れ方向に対して直角方向に所定寸法の目開きを有して筒状に構成することにより、異物侵入を防ぐようにしたものである。
【００２５】
これによって、フィルタの目開きを１００μｍ〜３００μｍとすると、トイレや散水程度の利水にはそのまま使用可能であり、また、ポンプ機器故障等の機器への影響も少なくなる。
【００２６】
また、ウェッジワイヤの内周面を、流水の上流側の角隅部が下流側の角隅部よりも高くなるように位置させ、各ウェッジワイヤの内周面に上流側の位置において内側に突出している段部を形成するようにすれば、ウェッジワイヤの内周面を流れる雨水が段部に当たって流れ方向を変えることにより、雨水中の砂や汚泥等の異物が舞い上がり、ウェッジワイヤの目開き内への砂や汚泥等の異物の目詰まりを防止できる。
【００２７】
また、雨水流出抑制部内に侵入した微量の異物も、雨水の流れによって一定場所に集めることができ、ポンプ等により雨水流出抑制部外への排出が容易となる。
【００２８】
また、雨水流出抑制部を浸透用として使用する場合は、異物が浸透フィルタや砕石などに目詰まりしにくいので、長期間浸透能力を維持させることができる。
【００２９】
さらに、請求項３に記載されたものは、雨水流入部は、雨水流出抑制部の上部に設け、かつ、雨水流入部と雨水流出抑制とは分割可能にしたものである。
【００３０】
これによって、雨水流入部設置のための掘削面積が不要となり、雨水流出抑制システムの設置コストを低く抑えることができる。
【００３１】
また、雨水流出抑制部内に余裕代を設けなくてもオーバーフロー排水が可能なため、雨水流出抑制部の上面一杯まで貯留することができ、実質貯留率（雨水貯留量/タンク設置
体積）が高くなる。
【００３２】
また、雨水流入部と雨水流出抑制とは分割可能とすることにより、周囲の各施設の施工工程にあわせて雨水流入部を効率よく施工することができ、また、流入管の高さ位置を調整できると共に、流入口とオーバーフロー口の方向を調整できる（三次元的な調整が可能である）。
【００３３】
さらに、請求項４に記載されたものは、雨水流入部は、雨水排水管路の途中位置に設置したものである。
【００３４】
これによって、雨水流出抑制部内が満杯になったときのオーバーフローは、雨水流出抑制部を通過することなく、ダイレクトに雨水配水管を通して行われるので、雨水流出抑制部内への異物の流入をより少なくすることができる。
【００３５】
また、従来使用されていた沈砂マスが不要になる。
【００３６】
また、実質貯留率を高くすることができる。
【００３７】
さらに、請求項５に記載されたものは、取水部を雨水流出抑制部の上部に設け、かつ取水部と雨水流出抑制部とは分割可能にしたものである。
【００３８】
これによって、取水部の下部に異物を誘導して堆積させるようにすると、バキューム等による異物の排出を容易に行うことができる。
【００３９】
また、取水部設置のための掘削面積が不要となり、雨水流出抑制システムの設置コストを低く抑えることができる。
【００４０】
また、雨水流出抑制部内に余裕代を設けなくてもオーバーフロー排水が可能なため、雨水流出抑制部の上面一杯まで貯留することができ、実質貯留率（雨水貯留量/タンク設置
体積）を高くすることができる。
【００４１】
また、取水部と雨水流出抑制とは分割可能とすることにより、周囲の各施設の施工工程にあわせて取水部を効率よく施工することができる。
【発明を実施するための最良の形態】
【００４２】
以下、本発明の最良の実施の形態について図面を参照して説明する。
【００４３】
なお、前記従来例と同一乃至均等な部分については、同一符号を付して説明する。
【００４４】
図１は、本実施の形態による雨水流出抑制システムを示している。
【００４５】
まず、構成から説明すると、このような本実施の形態の雨水流出抑制システムは、雨水流出抑制部１と、この雨水流出抑制部１の雨水流入口４の手前で、かつ雨水流出抑制部１の上部に設けられた雨水流入部２と、雨水流出抑制部１の上部に設けられた取水部３とを有しており、取水部３は、雨水流出抑制部の内部を点検する点検部を兼ねている。
【００４６】
雨水流出抑制部１は、雨水を貯える貯留部内５に多数の充填部材６を縦横かつ上下に連接して貯留空間を形成し、充填部材６の外側面部を覆うように側板部材７を設け、さらに、周囲を遮水シート８および不織布９の順で覆うことにより構成されている。
【００４７】
充填部材６は、貯留空間の形成および雨水の所定位置への誘導のために設けられるもので、ポリプロピレン、ポリエチレン、ポリ塩化ビニル、ポリエチレンテレフタレート等のプラスチックを成形して製造される。
【００４８】
本実施の形態においては、図２に示すように、天板材１０、脚材１１、傾斜材１２、脚材１１、傾斜材１２、脚材１１、傾斜材１２、連結材１３および底板材１４といった各種充填部材６を上下に順次連接し、さらに、このように上下方向に組み合わせた各種充填部材６を縦横に連接して貯留空間を形成している。
【００４９】
天板材１０は、雨水流出抑制部１の上部からの荷重を受けるもので、図３に示すように、水平部１０ｂと、水平部１０ｂの下方周囲に形成された側部１０ｃとを有しており、水平部１０ｂと側部１０ｃとで囲まれた空間内に補強リブ１０ｄ（図２の底板材１４参照）が形成されている。
【００５０】
なお、この天板材１０は、水平部１０ｂが下となるように上下反転させることによって底板材１４（図２参照）としても使用することができる。
【００５１】
また、雨水流入口４および取水口１５の真下に設けられる天板材１０ａは、図４に示すように、水平部１０ｂに穴１０ｅが設けられており、この穴１０ｅを通して雨水が流入し、また、取水、点検が行われるようになっている。
【００５２】
脚材１１は、充填部材６同士を三次元的に接続し、上部からの荷重を下方に伝えるもので、図５に示すように、直交する垂直面１１ａ，１１ｂと、これら垂直面１１ａ，１１ｂと４５度の角度で交わる垂直面１１ｃとを有し、垂直面１１ａに水平方向の接合凸部１１ｄが突出形成され、垂直面１１ｂには隣接する脚材１１の接合凸部１１ｄが嵌合する接合孔１１ｅが形成されており、これら接合凸部１１ｄおよび接合孔１１ｅの嵌合により、縦または横方向に位置する他の脚材１１との連接が行われ、前記の順次連接した各種充填材６を縦横に連接している。
【００５３】
また、脚材１１の上部には、天板材１０または傾斜材１２と脚材１１とを接続する接続部１１ｆが形成されており、脚材１１は、天板材１０または傾斜材１２の四隅に配置されて連接が行われる。
【００５４】
傾斜材１２は、雨水流出抑制部１に流入した異物を所定位置に誘導し、また、上部からの荷重を下方に伝えるもので、図６に示すように、傾斜板部１２ｂと、傾斜板部１２ｂの四隅に上下に延びる連結部１２ｃとから構成され、流入した雨水は、傾斜板部１２ｂに沿って所定方向に誘導される。
【００５５】
傾斜材１２の上部には、脚材１１と傾斜材１２を接続する接続部１２ｄが形成され、また、下部には、脚材１１または連結材１３の接続部に嵌合して、これらと傾斜材１２を接続する嵌合部１２ｅが形成されている。
【００５６】
なお、取水口１５の下部に設けられる傾斜材１２ａは、図７に示すように、傾斜板部１２ｂに穴１２ｆが設けられており、この穴１２ｆを利用して取水、点検が行われる。
【００５７】
連結材１３は、傾斜材１２または脚材１１と底板材１４とを接続するもので、図８に示すように、上部に、傾斜材１２の嵌合部１２ｅまたは脚材１１と嵌合する接続部１３ａと、下部に、底板材１４と嵌合する接続部１３ｂとを有している。
【００５８】
底板材１４は、天板材１０を水平部１０ｂが下となるように上下反転させたものであり、連結材１３を介して傾斜材１２または脚材１１と接続される。
【００５９】
雨水流入部２は、図１に示すように、雨水マス１６と、マンホール蓋１７と、雨水マス１６とマンホール蓋１７との間に設けられた接続管１８と、雨水マス１６と雨水流出抑制部１との間に設けられた接続管１９と、雨水マス１６内部に設けられたフィルタ２０（図９および図１０参照）とを有している。
【００６０】
雨水マス１６の側部には、雨水流入管２２ａとオーバーフロー管２２ｂとが接続され、雨水流入管２２ａとオーバーフロー管２２ｂとの間に雨水に含まれる砂や汚泥等の異物を除去するフィルタ２０が挿入されている。
【００６１】
なお、本実施の形態においては、雨水流入管２２ａとオーバーフロー管２２ｂとによって雨水排水管路が形成されている。
【００６２】
図９は、フィルタ２０を設置した雨水マス１６の平面図、図１０は、その側面図、図１１は、フィルタ２０の斜視図、図１１ａは、図９のＸ−Ｘ線断面図である。
【００６３】
フィルタ２０は、断面が楔型のウェッジワイヤ２０ａを円周の二分の一だけ巻回し、雨水の流れ方向に対して略直角方向に所定寸法ｔの目開き２０ｂを有して半円筒状に構成されている。
【００６４】
そして、フィルタ２０は、幅ｍが０．５ｍｍ〜１ｍｍのステンレス製のウェッジワイヤ２０ａを、目開き２０ｂの寸法ｔが１００μｍ〜３００μｍとなるように配置し、流水方向の長さＬが１００ｍｍ〜３００ｍｍとなるようにして、流入口１６ａとオーバーフロー口１６ｂとの間に形成されている。
【００６５】
ウェッジワイヤ２０ａは、平らな面が内側となるようにして巻回され、これによって形成された内面２０ｃがフィルタ２０の配置方向と平行な仮想内面２０ｄの垂直線２０ｅに対して下流側に角度θ（２°〜２０°）だけ傾斜している。
【００６６】
ウェッジワイヤ２０ａをこのように傾斜させることにより、ウェッジワイヤ２０ａの内面２０ｃは上流側の角隅部Ａが下流側の角隅部Ｂより若干高くなり、各ウェッジワイヤ２０ａの内周面に流水の上流側の位置において内側に突出している段部が形成される。
【００６７】
このため、仮想内面２０ｄに沿って流れる雨水Ｗは、角隅部Ａに当たって矢印２０ｅで示すように舞い上がって方向を変えることになり、これに伴い、砂や汚泥等の異物も矢印２０ｅで示すように舞い上がり、目開き２０ｂで目詰まりを生じることが防止される。
【００６８】
取水部３は、図１に示すように、取水マス２１と、マンホール蓋２２と、取水マス２１とマンホール蓋２２との間に設けられた接続管２３と、取水マス２１と雨水流出抑制部１との間に設けられた接続管２４とを有しており、取水マス２１には、貯留水の取出口２５が設けられている。
【００６９】
次に、この実施の形態の作用について説明する。
【００７０】
このように構成された本実施の形態の雨水流出抑制システムにおいては、屋根などから集められた雨水は、雨水流入管２２ａをとおって雨水マス１６に流れ込み、ここで、フィルタ２０によって異物が除去され、異物を含まない水が雨水流出抑制部１内に流入するが、フィルタ２０の目開きの間を通り抜けたわずかな異物は、雨水流出抑制部１内に設けられた傾斜材１２の傾斜板部１２ｂによって誘導され、取水部３の下部に設置された底板材１４に堆積する。
【００７１】
また、降雨により雨水流出抑制部１内に流入した雨水は、充填部材６により形成される貯留空間に一時貯留され、河川や下水道施設等が豪雨によって急激に増水することが抑制され、しかも、貯留水は、必要に応じて、取水部３から取り出され、トイレや散水等に利用される。
【００７２】
本実施の形態の雨水流出抑止システムにおいては、雨水流出抑制部１の雨水流入口４またはその手前に、ステンレス線材２０ａからなる目開きｔが１００μｍ〜３００μｍのフィルタ２０を設け、フィルタ２０を通過した雨水が雨水流出抑制部１に流入されるようにし、フィルタ２０の目開きを通過して雨水流出抑制部１に流入した微量の砂や汚泥等の異物は、雨水流出抑制部１に貯留した雨水を取り出す取水部３の下部に誘導されるようにしている。
【００７３】
これによって、砂や汚泥等の異物が雨水に含まれて雨水流出抑制部１に流入することを阻止でき、フィルタ２０の目開きを通過した微量の砂や汚泥等の異物は、取水部３からバ
キューム等で容易に吸い出すことができる。
【００７４】
フィルタ２０は、断面が楔型のウェッジワイヤ２０ａを複数本、雨水の流れ方向に対して直角方向に１００μｍ〜３００μｍの目開き２０ｂを有して、平行に配列し、ウェッジワイヤ２０ａは、内面２０ｃがフィルタ２０の配置方向と平行な仮想内面２０ｄの垂直線２０ｅに対して下流側に角度２°〜２０°傾斜させている。
【００７５】
このため、仮想内面２０ｄに沿って流れる雨水Ｗは、角隅部Ａに当たって矢印２０ｅで示すように舞い上がって方向を変えることになり、これに伴い、砂や汚泥等の異物も矢印２０ｅで示すように舞い上がり、目開き２０ｂで目詰まりを生じることが防止される。
【００７６】
これによって、雨水流入部２は常に良好な集水性能を保持することができると共に、フィルタ２０の目詰まりを防止するメンテナンスを低減することができる。
【００７７】
また、フィルタ２０の目開きｔを１００μｍ〜３００μｍとすることにより、トイレや散水程度の利用水にはそのまま使用可能であり、また、ポンプ機器故障等の機器への影響も少なくなる。
【００７８】
本実施の形態の雨水流出抑制システムでは、雨水流入部２は、雨水流出抑制部１の上部に設け、かつ、雨水流入部２と雨水流出抑制部１とは分割可能となっている。
【００７９】
これによって、雨水流入部２設置のための掘削面積が不要となり、雨水流出抑制システムの設置コストを低く抑えることができる。
【００８０】
また、雨水流出抑制部１内に余裕代を設けなくてもオーバーフロー排水が可能なため、雨水流出抑制部１の上面一杯まで貯留することができ、実質貯留率（雨水貯留量/タンク
設置体積）が高くなる。
【００８１】
また、雨水流入部２と雨水流出抑制部１とを分割可能とすることにより、周囲の各施設の施工工程にあわせて雨水流入部２を効率よく施工することができる。
【００８２】
例えば、雨水流入管２２ａを雨水マス１６に接続する場合の位置合わせは、上下方向に対しては、接続管１８，１９の長さを調整して行われ、水平方向に対しては、雨水マス１６を横方向に回転して行われるので、三次元の調整が容易である。
【００８３】
また、本実施の形態の雨水流出抑制システムでは、雨水流入部２は、雨水排水管路の途中位置（雨水流入管２２ａとオーバーフロー管２２ｂの間）に設置したものである。
【００８４】
これによって、雨水流出抑制部１内が満杯になったときのオーバーフローは、オーバーフロー管２２ｂを通して行われ、雨水流出抑制部１内への雨水の流入はなくなるので、異物の流入をより少なくすることができる。
【００８５】
本実施の形態の雨水流出抑制システムでは、取水部３を雨水流出抑制部１の上部に設け、かつ取水部３と雨水流出抑制部１とは分割可能にしてある。
【００８６】
これによって、取水部の下部に異物を誘導して堆積させるようにすると、バキューム等による異物の排出を容易に行うことができる。
【００８７】
また、雨水流入部２の場合と同様に、雨水流出抑制システムの設置コストを低く抑えることができ、実質貯留率（雨水貯留量/タンク設置体積）を高くでき、さらに、施工の上
でも有利である。
【００８８】
以上、図面を参照して、本発明の最良の実施の形態を詳述してきたが、具体的な構成は、この実施の形態に限らず、本発明の要旨を逸脱しない程度の設計的変更は、本発明に含まれる。
【００８９】
例えば、前記実施の形態では、フィルタ２０は、ウェッジワイヤ２０ａを円周の二分の一だけ巻回して半円筒状に構成した例を説明したが、ウェッジワイヤ２０ａを全円周巻回して円筒状に構成してもよい。
【００９０】
また、前期実施の形態では、雨水の貯留目的のため、充填部材の周囲を遮水シートおよび不織布で覆う例について説明したが、浸透を目的とする場合は、不織布のみで覆うようにしても良い。
【００９１】
この場合、雨水流出抑制部内には微量の細かい異物が流入するのみであるので、異物が浸透フィルタや砕石などに目詰まりしにくく長期間浸透能力を維持させることができる。
【図面の簡単な説明】
【００９２】
【図１】本発明の最良の実施の形態の雨水流出抑制システム全体の構成を説明する断面図である。
【図２】本発明の最良の実施の形態の雨水流出抑制システムにおける充填部材を説明する斜視図である。
【図３】本発明の最良の実施の形態の雨水流出抑制システムにおける充填部材を構成する天板材を説明する斜視図である。
【図４】本発明の最良の実施の形態の雨水流出抑制システムにおける充填部材を構成する天板材の他の例を説明する斜視図である。
【図５】本発明の最良の実施の形態の雨水流出抑制システムにおける充填部材を構成する脚材を説明する斜視図である。
【図６】本発明の最良の実施の形態の雨水流出抑制システムにおける充填部材を構成する傾斜材を説明する斜視図である。
【図７】本発明の最良の実施の形態の雨水流出抑制システムにおける充填部材を構成する傾斜材の他の例を説明する斜視図である。
【図８】本発明の最良の実施の形態の雨水流出抑制システムにおける充填部材を構成する連結材を説明する斜視図である。
【図９】本発明の最良の実施の形態の雨水流出抑制システムにおけるフィルタを設置した雨水マスを説明する平面図である。
【図１０】本発明の最良の実施の形態の雨水流出抑制システムにおけるフィルタを設置した雨水マスを説明する側面図である。
【図１１】本発明の最良の実施の形態の雨水流出抑制システムにおけるフィルタの斜視図である。
【図１１ａ】図９の雨水マスのＸ−Ｘ線断面図である。
【図１２】従来例の雨水流出抑制システムの全体の構成を説明する断面図である。
【図１３】従来例の雨水流出抑制システムの充填部材を説明する斜視図である。
【符号の説明】
【００９３】
１  雨水流出抑制部
２  雨水流入部
３  取水部
４  雨水流入口
５  貯留部
６  充填部材
１０  天板材
１１  脚材
１２  傾斜材
１３  連結材
１４  底板材
１６  雨水マス
２０  フィルタ
２０ａ  ウェッジワイヤ
２０ｂ  目開き
２１  取水マス
２２ａ  雨水流入管
２２ｂ  オーバーフロー管
【図１】
2006219910.tif 000003
【図２】
2006219910.tif 000004
【図３】
2006219910.tif 000005
【図４】
2006219910.tif 000006
【図５】
2006219910.tif 000007
【図６】
2006219910.tif 000008
【図７】
2006219910.tif 000009
【図８】
2006219910.tif 000010
【図９】
2006219910.tif 000011
【図１０】
2006219910.tif 000012
【図１１】
2006219910.tif 000013
【図１１ａ】
2006219910.tif 000014
【図１２】
2006219910.tif 000015
【図１３】
2006219910.tif 000016